(57)【要約】【課題】確実な鏡の挟持と十分な剛性の確保とを両立することができる連結部材及び鏡アセンブリを提供する。【解決手段】連結部材１０は、鏡２の端部２Ａに設けられて鏡２と収納棚（所定の取付部）とを連結する。連結部材１０は、前壁２０、後壁３０、及びタッピングビス（保持部材）５０を備えている。前壁２０は鏡２の前面を覆う。後壁３０は鏡２の後面を覆う。また、後壁３０にはたわみ部３１が設けられている。たわみ部３１は前壁２０側に弾性変形する。たわみ部３１は、後壁３０における鏡２の端部２Ａの延伸方向に対応する方向に部分的に設けられている。タッピングビス５０は、たわみ部３１を弾性変形した状態で保持する。【選択図】図１４
2019141268.tif 000002
【特許請求の範囲】
【請求項１】
鏡の端部に設けられて前記鏡と所定の取付部とを連結する連結部材であって、
前記鏡の前面を覆う前壁と、
前記鏡の後面を覆うとともに、前記鏡の端部の延伸方向に対応する方向に部分的に形成されて前記前壁側に弾性変形するたわみ部が設けられた後壁と、
前記たわみ部を弾性変形した状態で保持する保持部材と、
を備えていることを特徴とする連結部材。
【請求項２】
前記たわみ部は、前記後壁における前記延伸方向に対応する方向の両端部の少なくとも一方に設けられていることを特徴とする請求項１記載の連結部材。
【請求項３】
前記たわみ部は、前記延伸方向に対応する方向の直交方向における両端部が前記鏡の外縁の内側及び外側に対応する位置に夫々配されているとともに、前記鏡の外縁の内側に配された一方の端部側が前記後壁に連結された片持ち状に形成されており、
前記保持部材は、前記たわみ部の前記鏡の外縁の外側に対応する位置に配された他方の端部を保持することを特徴とする請求項１又は２記載の連結部材。
【請求項４】
前記たわみ部は、前記一方の端部が、前記前壁における前記鏡の外縁よりも内側に配された端部よりも内側に配されていることを特徴とする請求項３記載の連結部材。
【請求項５】
前記前壁と前記後壁とを前記たわみ部以外の部位で連結する連結部を備えることを特徴とする請求項１乃至４のいずれか一項に記載の連結部材。
【請求項６】
鏡と、
前記鏡の端部に設けられた請求項１乃至５のいずれか一項に記載の連結部材と、
を備えたことを特徴とする鏡アセンブリ。
【発明の詳細な説明】
【技術分野】
【０００１】
本発明は、連結部材、及びそれを備えた鏡アセンブリに関する。
【背景技術】
【０００２】
特許文献１は従来の連結部材を開示している。この連結部材は、鏡アセンブリにおいて鏡の端部に設けられる。連結部材は可撓性を有している。連結部材は、前壁部、後壁部、及び締め付け部材を備えている。連結部材は、締め付け部材を締め付けることにより撓みを生じさせ、前壁部と後壁部とを近接させて鏡を挟持する。
【先行技術文献】
【特許文献】
【０００３】
【特許文献１】特開２０１４−２０９９９１号公報
【発明の概要】
【発明が解決しようとする課題】
【０００４】
特許文献１の場合、連結部材が可撓性を有していることから、締め付け部材を締め付けることによって前壁部及び後壁部に撓みを生じさせて鏡を容易に挟持することができる。ところで、例えば、鏡アセンブリが収納棚の扉として用いられる場合、連結部材には、開閉時等において外力が作用する。この場合、連結部材には外力に抗する所定の剛性を確保する必要があった。しかしながら、このような剛性と可撓性とは相反するため、両立は困難である。
【０００５】
本発明は、上記従来の実情に鑑みてなされたものであって、確実な鏡の挟持と十分な剛性の確保とを両立することができる連結部材及びそれを備えた鏡アセンブリを提供することを解決すべき課題としている。
【課題を解決するための手段】
【０００６】
本発明の連結部材は、鏡の端部に設けられて前記鏡と所定の取付部とを連結する連結部材であって、
前記鏡の前面を覆う前壁と、
前記鏡の後面を覆うとともに、前記鏡の端部の延伸方向に対応する方向に部分的に形成されて前記前壁側に弾性変形するたわみ部が設けられた後壁と、
前記たわみ部を弾性変形した状態で保持する保持部材と、
を備えていることを特徴とする。
【０００７】
このような構成により、本発明の連結部材は、後壁のうち、たわみ部には鏡を挟持するための可撓性を持たせ、たわみ部以外の他の部分には強度を確保するための剛性を持たせることができる。すなわち、鏡を挟持させる部位であるたわみ部にのみ可撓性を持たせることで、強度を確保すべき他の部位には十分な剛性を容易に設定することができる。
【０００８】
したがって、本発明の連結部材は、確実な鏡の挟持と十分な剛性の確保とを両立することができる。
【０００９】
また、本発明の鏡アセンブリは、鏡と、
前記鏡の端部に設けられた前記連結部材と、
を備えていることを特徴とする。
【００１０】
この鏡アセンブリは、上記構成の連結部材を備えているので、十分な剛性の確保された連結部材により鏡が確実に挟持された鏡アセンブリを実現することができる。
【図面の簡単な説明】
【００１１】
【図１】実施例１に係る鏡アセンブリを示す図であり、（Ａ）斜視図、（Ｂ）分解斜視図を夫々示す。
【図２】実施例１に係る連結部材を示す斜視図である。
【図３】実施例１に係る連結部材を示す平面図である。
【図４】図３のＩＶ−ＩＶ線断面図である。
【図５】図３のＶ−Ｖ線断面図である。
【図６】図３のＶＩ−ＶＩ線断面図である。
【図７】実施例１に係る連結部材を示す背面図である。
【図８】実施例１に係るたわみ部を示す斜視断面図である。
【図９】図７のＩＸ−ＩＸ線断面図である。
【図１０】図７のＸ−Ｘ線断面図である。
【図１１】実施例１の作用を説明するための図（その１）である。
【図１２】実施例１の作用を説明するための図（その２）である。
【図１３】実施例１の作用を説明するための図（その３）である。
【図１４】実施例１の作用を説明するための図（その４）である。
【発明を実施するための形態】
【００１２】
本発明における好ましい実施の形態を説明する。
【００１３】
本発明の連結部材において、前記たわみ部は、前記後壁における前記延伸方向に対応する方向の両端部の少なくとも一方に設けられ得る。この場合、例えば、鏡を収納棚の扉として用いる際には、開閉の操作部位又は蝶番の近傍におけるがたつきを抑えることができる。
【００１４】
本発明の連結部材において、前記たわみ部は、前記延伸方向に対応する方向の直交方向における両端部が前記鏡の外縁の内側及び外側に対応する位置に夫々配されているとともに、前記鏡の外縁の内側に対応する位置に配された一方の端部側が前記後壁に連結された片持ち状に形成されており、
前記保持部材は、前記たわみ部の前記鏡の外縁の外側に対応する位置に配された他方の端部を保持し得る。この場合、鏡の外縁の内側の一方の端部を起点として外側の他方の端部にかけてたわみ部にたわみを生じさせることができるので、鏡の端部に確実に当接させて保持することができる。
なお、上記「鏡の外縁の内側及び外側」とは、鏡の外縁と境界として、鏡の中心側とその反対側を夫々意図している。したがって、例えば、鏡の下端部の場合、「鏡の外縁の内側」は、鏡の下端縁の上側であり、「鏡の外縁の外側」は、鏡の下端縁の下側である。
【００１５】
本発明の連結部材において、前記たわみ部は、前記一方の端部が、前記前壁における前記鏡の外縁よりも内側に配された端部よりも内側に配され得る。この場合、たわみ部は、たわみの起点となる鏡の外縁の内側に位置する一方の端部と他方の端部との間の位置において、前壁との間で鏡を挟持する。このため、たわみ部の鏡との当接部における前壁側への移動量を十分に確保することができ、前壁との間で鏡を確実に挟持することができる。
【００１６】
本発明の連結部材は、前記前壁と前記後壁とを前記たわみ部以外の部位で連結する連結部を備え得る。この場合、たわみ部には十分な弾性を持たせ、他の部位では前壁と後壁とを弾性変形を考慮することなく連結することにより、連結部材全体として十分な剛性を確保することができる。
【００１７】
次に、本発明の連結部材及びそれを備えた鏡アセンブリを具体化した実施例１について、図面を参照しつつ説明する。なお、以下の説明では、上下、左右の方向については、図１及び図２に示す向きをそのまま上下、左右方向と定義し、前後の方向については、図５、図９〜図１４に示す左方を前方、右方を後方と夫々定義して説明する。
【００１８】
＜実施例１＞
実施例１の鏡アセンブリ１は、洗面所等に配置される収納棚（図示せず）の前面扉として用いられる。すなわち、鏡アセンブリ１は、所定の取付部としての収納棚に取り付けられる。鏡アセンブリ１は、図１（Ａ）及び（Ｂ）に示すように、鏡２と、この鏡２の上下の端部２Ａ，２Ｂに夫々設けられた連結部材１０と、を備えている。鏡２は、鏡本体３及び裏板４を備えている。鏡本体３は、上下方向を長手方向とする正面視略矩形状をなしている。また、鏡本体３は、前後方向を厚さ方向とする板状に形成されている。裏板４は、鏡本体３の厚さよりも薄い樹脂板からなる。裏板４は、両面テープ等により、鏡本体３の背面に接着固定されている。裏板４は、本体部４Ａ及び延出部４Ｂを具備している。本体部４Ａは、鏡本体３よりも僅かに小さい正面視略矩形状をなしている。延出部４Ｂは、本体部４Ａに一体的に形成されるとともに、本体部４Ａの上下端から鏡本体３の端面よりも外側方向に延出して形成されている。延出部４Ｂの左右幅は本体部４Ａの左右幅よりも小さく形成されている。延出部４Ｂは、本体部４Ａの左右方向の略中央部に設けられている。また、裏板４は、延出部４Ｂの左右方向の中心部に第１切欠き部４Ｃを形成している。第１切欠き部４Ｃは、連結部材１０を取り付ける際の左右方向の位置合わせに用いられる。
【００１９】
また、図１（Ｂ）に示すように、延出部４Ｂには第２切欠き部４Ｄが形成されている。第２切欠き部４Ｄは、延出部４Ｂを外縁から内側方向に切り込んで形成されている。第２切欠き部４Ｄは、延出部４Ｂの左右方向の一方の端部に形成されている。この位置は、後述する後壁３０のたわみ部３１に対応した位置であり、たわみ部３１を貫通する保持部材としてのタッピングビス５０に対応した位置である。
【００２０】
連結部材１０は、鏡２と収納棚とを扉用ヒンジを介して連結する。連結部材１０は、鏡２の上下の端部２Ａ，２Ｂに対称に設けられている。連結部材１０は樹脂製で、鏡２の上下の端部２Ａ，２Ｂの延伸方向である左右方向を長手方向とする長尺状に形成されている。上下の連結部材１０は、上下に対称に形成されている以外は略同様の構成であり、以下の説明では鏡２の下端部２Ａに設けられる連結部材１０を用いて説明する。
【００２１】
図２〜図１０に示すように、連結部材１０は、前壁２０及び後壁３０を備えている。前壁２０は鏡２の端部２Ａの前面を覆う。前壁２０は、左右方向の長さが鏡２の左右幅と略同等に形成されている。図３〜図５に示すように、前壁２０は、前覆い部２１及び載置部２２を有している。前覆い部２１は、左右方向を長手方向とする正面視略矩形状の板状に形成されている。前覆い部２１の前面は、上下方向の中心部が前方に突出する形態で上下に緩やかに湾曲した湾曲面をなしている。前覆い部２１の左右方向両端部は後方に向かって湾曲する形態でＲ面取りされている。前覆い部２１は、後面の上部側で鏡２の前面を覆う。載置部２２は、前覆い部２１の下部側の後面から後方に延びる形態で前覆い部２１に一体的に形成されている。載置部２２はその上面に鏡２を載置する。図５に示すように、載置部２２は、鏡２の下端面が当接する載置面２２Ａが前覆い部２１の上端よりも下方に位置する形態で設けられている。載置面２２Ａの前方には左右方向に延びる溝２２Ｂが形成されている。また、載置部２２には、溝２２Ｂに連通して上下に貫通するスリット２２Ｃが形成されている。
【００２２】
後壁３０は鏡２の端部２Ａの後面を覆う。後壁３０は、前壁２０と同様に、左右方向の長さが鏡２の左右幅と略同等に形成されている。図６〜図１０に示すように、後壁３０は後覆い部３０Ａ及び下面部３０Ｂを有している。後覆い部３０Ａは、図６及び図７に示すように、左右方向を長手方向とする板状に形成されている。後覆い部３０Ａは、左右両端部の下部が切り欠かれて形成されている。後覆い部３０Ａは、その上端が前壁２０の前覆い部２１の上端よりも上方まで延びて形成されている。後覆い部３０Ａの前面と前覆い部２１の後面との間には鏡２が挿入される空間Ｓが形成されている。この前覆い部２１と後覆い部３０Ａの間の空間Ｓの大きさは、鏡２の厚さ、すなわち、鏡本体３と、両面テープにより鏡本体３の裏面に接着固定された裏板４とを合わせた全体の厚さよりも僅かに大きく設定されている。また、連結部材１０の左右方向の中央部であって、後覆い部３０Ａの前面と載置部２２の後面との間には、延出部４Ｂが挿入される隙間Ｇが形成されている。この隙間Ｇの大きさは、延出部４Ｂの厚さよりも大きく形成されている。
【００２３】
下面部３０Ｂは、後覆い部３０Ａの下端部に沿って設けられており、後覆い部３０Ａの下端部から後方に向かって延びて形成されている。後壁３０は、下面部３０Ｂと、この下面部３０Ｂの延伸方向に略直交する方向である上下方向に延伸する後覆い部３０Ａと、が一体に形成された断面略Ｌ字形状をなしている。下面部３０Ｂは、後覆い部３０Ａの左右両端部の下部が切り欠かれていることから、正面視において、左右方向の中央部が左右の端部よりも下方に突出する形態の段差状に形成されている（図７参照）。このように形成された下面部３０Ｂの左右両端部の下部の空間は、鏡アセンブリ１において、扉開閉用のヒンジが収納される空間、及び扉開閉時に手が挿入される空間とされる。
【００２４】
また、図４〜図６に示すように、前壁２０及び後壁３０は、連結部４０を介して連結されている。連結部４０は、前壁２０の載置部２２と、後壁３０の後覆い部３０Ａの下端部とを一体的に連結している。連結部４０は、横リブ４１及び縦リブ４２を有して構成されている。横リブ４１は、前壁２０側の載置部２２と、後壁３０側の後覆い部３０Ａの下端部と、の間に左右方向に延びて形成されている。横リブ４１には、上下方向に貫通するスリットが複数形成されている。縦リブ４２は、上下方向に延びる形態で載置部２２と後覆い部３０Ａとの間に複数設けられている。縦リブ４２のうち、左右方向の中央部に位置する縦リブ４２Ａ，４２Ｂ，４２Ｃは、連結部材１０が鏡２に取り付けられた際に裏板４の第１切欠き部４Ｃに係合し、鏡２と連結部材１０との左右方向の位置合わせをする。また、縦リブ４２のうち、中央の縦リブ４２Ａ，４２Ｂ，４２Ｃから左右方向に略等間隔に離間して配された縦リブ４２Ｄ，４２Ｅの間の空間は上述の隙間Ｇに相当する。すなわち、縦リブ４２Ｄ，４２Ｅの間には、連結部材１０が鏡２の端部２Ａに配された際に延出部４Ｂが挿入される隙間Ｇが形成されている。
【００２５】
また、図６及び図７に示すように、後壁３０には、たわみ部３１及び抜け止め部３２が設けられている。たわみ部３１は、後壁３０の左右方向に部分的に設けられている。本実施例において、たわみ部３１は、後壁３０の左右方向の中心よりも右側の端部寄りの一か所に設けられている。たわみ部３１は、前壁２０側に弾性変形（たわみ変形）することにより、前壁２０の前覆い部２１との間で鏡２を挟持する。また、たわみ部３１は、図８〜図１０に示すように、後壁３０の上下方向に延びる形態で形成されている。たわみ部３１は、上端側において後壁３０と接続され、下端側が自由端となる形態の片持ち状に設けられている。たわみ部３１の上端は、前壁２０の上端よりも上方に位置している。たわみ部３１の下端は、鏡２に取り付けられた状態において、鏡２の下端よりも下方に位置している。たわみ部３１は、保持部材としてのタッピングビス５０により、前壁２０側に弾性変形した状態で保持される（図１４参照）。
【００２６】
たわみ部３１は、たわみ部本体３１Ａ、筒体３１Ｂ、補強部３１Ｃ、及び側板３１Ｄを具備している。たわみ部本体３１Ａは、後壁３０の上下方向に延びる板状に形成されている。たわみ部本体３１Ａの側部は溝状に切欠かれている。筒体３１Ｂは、たわみ部本体３１Ａの下端部から後方に突出する形態で設けられている。筒体３１Ｂは、前後方向を軸方向とするとともに、後方から軸方向に貫通するざぐり孔Ｈ１が形成された筒状をなしている。このざぐり孔Ｈ１には保持部材であるタッピングビス５０が挿入される。なお、ざぐり孔Ｈ１の孔径は、タッピングビス５０のねじ部の径よりも僅かに大きく形成されている。タッピングビス５０は、ざぐり孔Ｈ１に挿通されて前壁２０の載置部２２に形成された下穴にセルフタッピングして螺合される。また、筒体３１Ｂは、その前面がたわみ部本体３１Ａの前面よりも後方に陥没する段差状に設けられている。
【００２７】
補強部３１Ｃはたわみ部３１の弾性変形時の剛性を確保する。補強部３１Ｃは、たわみ部本体３１Ａの左右両側部にリブ状に設けられており、たわみ部本体３１Ａの後面から後方に延びる形態で形成されている。補強部３１Ｃは、上端から下端に向かって後方への延出量が徐々に大きくなる形態で形成されている。また、補強部３１Ｃの下端は筒体３１Ｂに連結されている。側板３１Ｄは、たわみ部本体３１Ａの左右の側面から側方に延びる形態で設けられている。側板３１Ｄは、たわみ部本体３１Ａの側面と後壁３０とを接続している。側板３１Ｄは、たわみ部本体３１Ａの板厚やたわみ部３１以外の後壁３０の他の部位の板厚よりも薄く形成されている。この側板３１Ｄは、換言すると、たわみ部本体３１Ａの側部に形成された溝状の切欠きの底壁である。
【００２８】
抜け止め部３２は、抜け止め用のビス６０が螺合されることにより鏡２を抜け止め固定する。抜け止め部３２は、図６及び図７に示すように、後壁３０の中央部に左右方向に並んで２つ設けられている。抜け止め部３２は、図５に示すように、後覆い部３０Ａの後面下部から下面部３０Ｂの上面に沿って後方に突出して形成されている。抜け止め部３２にはビス６０が螺合されるざぐり孔Ｈ２が形成されている。このざぐり孔Ｈ２の孔径は、ビス６０のねじ部の径よりも小さく形成されている。抜け止め用のビス６０は、このざぐり孔Ｈ２にセルフタッピングして螺合され、その先端が前壁２０側の薄肉部を穿孔して貫通する。
【００２９】
また、この抜け止め部３２に対応する前壁２０の載置部２２側には凸部２２Ｄが設けられている。図５に示すように、凸部２２Ｄは、上下方向に延びるリブ状に形成されており、載置部２２の後面から後方に突出して形成されている。凸部２２Ｄは、各ざぐり孔Ｈ２の左右に夫々１つずつ設けられている（図４参照）。
【００３０】
次に、上記構成の連結部材１０及び鏡アセンブリ１の作用について説明する。
最初に、連結部材１０の鏡２への取り付けについて説明する。まず、図１１に示すように、連結部材１０の前壁２０の前覆い部２１と、後壁３０の後覆い部３０Ａと、の間の空間Ｓに鏡２を挿入し、載置部２２の載置面２２Ａに下端を載置する。この時、裏板４の延出部４Ｂを後覆い部３０Ａと載置部２２との間の隙間Ｇに挿入する。また、この時、第１切欠き部４Ｃを連結部４０の左右中央部の縦リブ４２Ａ，４２Ｂ，４２Ｃに合わせて挿入する（図４、図６参照）。これにより、鏡２と連結部材１０の左右方向の位置が合わせられる。なお、上述のように、前覆い部２１と後覆い部３０Ａの間の空間Ｓの大きさは、鏡２の厚さよりも僅かに大きく設定されており、載置部２２と後覆い部３０Ａとの間の隙間Ｇは、裏板４の板厚よりも大きく設定されているので、鏡２を容易に挿入可能である。
【００３１】
そして、図１２に示すように、後壁３０の後方から抜け止め部３２にビス６０を螺合する。ビス６０はタッピングビスであり、抜け止め部３２のざぐり孔Ｈ２にセルフタッピングしつつ螺合して後壁３０を貫通する。後壁３０を貫通したビス６０の先端は後壁３０の前面から前方に突出する。ビス６０は、後壁３０を貫通したのちも更に回転螺合させることにより、裏板４の延出部４Ｂを貫通する。延出部４Ｂには下穴は形成されていないが、ビス６０はセルフタッピング作用により裏板４を貫通する。この時、延出部４Ｂは、ビス６０の先端に押圧されて前方に移動し、凸部２２Ｄに当接してそれ以上の前進が抑えられる。これにより、ビス６０による穿孔するための力が延出部４Ｂに好適に作用する。また、凸部２２Ｄは、載置部２２におけるざぐり孔Ｈ２に対応した位置の左右にずれた位置に設けられているので、ビス６０が延出部４Ｂを貫通するのを好適に補助するとともに、延出部４Ｂを貫通したのちのビス６０が干渉することもない。ビス６０が裏板４の延出部４Ｂを貫通したのちには、ビス６０を更に回転螺合させて前壁２０側の薄肉部を穿孔・貫通させる。このようにビス６０を延出部４Ｂに貫通させることで、鏡２の連結部材１０からの抜け止めを行う。なお、抜け止め部３２では、延出部４Ｂを後壁３０と前壁２０との間で挟み込まないので、ビス６０のセルフタッピング等により延出部４Ｂを穿孔した際にバリ等が生じたとしても別段影響はない。
【００３２】
次に、図１３に示すように、たわみ部３１の筒体３１Ｂに形成されたざぐり孔Ｈ１にタッピングビス５０を挿通し、載置部２２側の下穴にセルフタッピングにより螺合する。すると、図１４に示すように、たわみ部３１は、下端側が前壁２０側に移動してたわみ変形し、鏡２を前壁２０側に押圧する。これにより、鏡２は、前壁２０の前覆い部２１と、たわみ部３１とにより挟持されて連結部材１０に固定される。このたわみ部３１は、後壁３０において、左右方向に部分的に設けられているとともに、たわみ部３１以外の部位において、後壁３０は前壁２０に連結部４０を介して連結されている。このため、連結部材１０は、たわみ部３１以外の部分において十分な強度を確保することが可能であり、鏡アセンブリ１を鏡扉として使用する際の剛性感が確保される。また、連結部材１０の剛性が確保されていることにより、たわみ部３１による押圧力を、鏡２を挟持するために集中して作用させることが可能となっている。
【００３３】
また、このたわみ部３１に対応する位置において、延出部４Ｂには第２切欠き部４Ｄが形成されている。そして、このように延出部４Ｂを切り欠いて形成したことにより、たわみ部３１に対応する位置における鏡２の外縁は、たわみ部３１の上端と下端の間に位置する。これにより、鏡２の端部２Ａは、後壁３０に連結されているたわみ部３１の上端と、タッピングビス５０により前方に移動されたたわみ部３１の下端と、の間でたわみ部３１に好適に挟持される。また、たわみ部３１は、上端が後壁３０に連結された片持ち状に形成されていることから、下端側に向かうにつれてより大きく前壁２０側に移動する。このため、たわみ部３１は、下端部のタッピングビス５０の締め込みによる力を、上端部を支点とするてこの原理によって、より大きな力で鏡２の端部２Ａを押圧する力として作用させて鏡２を挟持する。
【００３４】
以上のように、実施例１の連結部材１０は、鏡２の端部２Ａ，２Ｂに設けられて鏡２と、所定の取付部としての収納棚とを連結する部材である。連結部材１０は、前壁２０、後壁３０、及び保持部材としてのタッピングビス５０を備えている。前壁２０は、鏡２の前面を覆う。後壁３０は鏡２の後面を覆う。また、後壁３０にはたわみ部３１が設けられている。たわみ部３１は前壁２０側に弾性変形する。たわみ部３１は、鏡２の端部２Ａ，２Ｂの延伸方向に対応する方向である後壁３０の左右方向において部分的に設けられている。タッピングビス５０は、たわみ部３１を弾性変形した状態で保持する。
【００３５】
このような構成により、連結部材１０は、たわみ部３１には鏡２を挟持するための可撓性を持たせ、たわみ部３１以外の他の部分には強度を確保するための剛性を持たせることができる。すなわち、鏡を挟持させる部位であるたわみ部にのみ可撓性を持たせることで、強度を確保すべき他の部位には十分な剛性を容易に設定することができる。
【００３６】
したがって、実施例１の連結部材１０は、確実な鏡の挟持と十分な剛性の確保とを両立することができる。
【００３７】
また、このような構成としたことで剛性の確保が容易であるので、例えば、意匠面のスリム化等、デザインの自由度が向上する。これにより、優れた意匠性を有する連結部材を実現することができる。
【００３８】
また、たわみ部３１は、後壁３０における鏡２の端部２Ａ，２Ｂの延伸方向に対応する方向である左右方向の両端部のうちの一方に設けられている。このため、鏡アセンブリ１を扉として用いる際には、開閉の操作部位又は蝶番の近傍におけるがたつきが抑えられる等、使用感の向上を図ることができる。
【００３９】
また、たわみ部３１は、上下方向における両端部が鏡２の外縁の内側及び外側に対応する位置に夫々配されているとともに、鏡２の外縁の内側に対応する位置である上側の端部側が後壁３０に連結された片持ち状に形成されている。そして、タッピングビス５０は、たわみ部３１の下端部を保持する。このため、上端部を起点として下端部にかけてたわみ部３１にたわみを生じさせることができるので、鏡２の端部２Ａ，２Ｂに確実に当接させて保持することができる。
【００４０】
また、たわみ部３１は、上端部が、前壁２０の上端よりも上方に配されている。このため、たわみ部３１は、たわみの起点となる上端部と下端部との間の位置において、前壁２０との間で鏡２を挟持する。このため、たわみ部３１の鏡２との当接部における前壁２０側への移動量を十分に確保することができ、前壁２０との間で鏡２を確実に挟持することができる。
【００４１】
また、連結部材１０は、前壁２０と後壁３０とをたわみ部３１以外の部位で連結する連結部４０を有している。このため、たわみ部３１に十分な弾性を持たせ、他の部位では前壁２０と後壁３０とを弾性変形を考慮することなく連結することにより、連結部材全体として十分な剛性を確保することができる。
【００４２】
また、実施例１の鏡アセンブリ１は、鏡２と、この鏡２の端部２Ａ，２Ｂに設けられた上記構成の連結部材１０とを備えている。このため、十分な剛性の確保された連結部材１０により鏡２が確実に挟持された鏡アセンブリ１を実現することができる。
【００４３】
本発明は上記記述及び図面によって説明した実施例１に限定されるものではなく、例えば次のような実施例も本発明の技術的範囲に含まれる。
（１）上記実施例では、１つのたわみ部を後壁の中央よりも右側の端部寄りに設ける形態を例示したが、たわみ部の個数や配設位置等は特に限定されない。
（２）上記実施例では、保持部材としてタッピングビスを備える形態を例示したが、これは必須ではない。保持部材は、例えば、スナップフィット構造等により係合して保持する形態等、他の形態であってもよい。
（３）上記実施例では、連結部材が鏡と、所定の取付部としての収納棚とを連結するとともに、鏡アセンブリが収納棚の扉として用いられる形態を例示したが、連結部材は、壁面等の他の形態の取付部と鏡とを連結するものであってもよい。
（４）上記実施例では、延出部が裏板の上下方向に延出して設けられている形態を例示したが、左右方向に延出していてもよい。
【符号の説明】
【００４４】
１…鏡アセンブリ
２…鏡
２Ａ，２Ｂ…鏡の端部
３…鏡本体
４…裏板
４Ａ…本体部
４Ｂ…延出部
１０…連結部材
２０…前壁
３０…後壁
３１…たわみ部
５０…タッピングビス（保持部材）
【図１】
2019141268.tif 000003
【図２】
2019141268.tif 000004
【図３】
2019141268.tif 000005
【図４】
2019141268.tif 000006
【図５】
2019141268.tif 000007
【図６】
2019141268.tif 000008
【図７】
2019141268.tif 000009
【図８】
2019141268.tif 000010
【図９】
2019141268.tif 000011
【図１０】
2019141268.tif 000012
【図１１】
2019141268.tif 000013
【図１２】
2019141268.tif 000014
【図１３】
2019141268.tif 000015
【図１４】
2019141268.tif 000016